(57)【要約】【課題】電子棚札に表示可能な秘匿性のある情報の表示にセキュリティ性を持たせるようにする。【解決手段】各情報表示端末２は、複数のグループにグループ分けされる。各グループに１つのユーザＩＤ認識装置７をサーバ装置１と通信自在に設ける。サーバ装置１は、いずれかのユーザＩＤ認識装置７にてユーザＩＤが認識されると、そのユーザＩＤ認識装置が属するグループに分類された全ての情報表示端末２に対して切替許可信号を配信する。各情報表示端末２は、複数種類の表示情報を記憶し、そのうち所定の表示情報を表示部に表示させる。そして、サーバ装置から切替許可信号を受信すると、表示部の表示情報を一定時間だけ表示情報記憶部に記憶された別の表示情報に切替える。【選択図】図１
2008123046.tif 000002
【特許請求の範囲】
【請求項１】
サーバ装置と、このサーバ装置から受信した情報を表示可能な表示部を有する複数の情報表示端末とを有線または無線の通信手段で接続してなる情報表示システムにおいて、
前記各情報表示端末は、複数のグループにグループ分けされ、各グループにそれぞれ対応して少なくとも１つのユーザＩＤ認識装置が前記サーバ装置と通信自在に設けられ、
前記サーバ装置は、前記グループ毎にそのグループに属する前記情報表示端末と前記ユーザＩＤ認識装置とをそれぞれ識別する情報を記憶するグループ情報記憶部と、前記情報表示端末毎にそれぞれ複数種類の表示情報を生成して配信する表示情報配信手段と、いずれかの前記ユーザＩＤ認識装置にてユーザＩＤが認識されたか否かを識別する認識有無識別手段と、この認識有無識別手段により前記ユーザＩＤが認識された前記ユーザＩＤ認識装置を識別すると、そのユーザＩＤ認識装置が属するグループに分類された全ての前記情報表示端末を前記グループ情報記憶部に記憶された情報を基に特定し、その特定された全ての前記情報表示端末に対して切替許可信号を配信する切替許可指令手段とを具備し、
前記各情報表示端末は、前記複数種類の表示情報を記憶する表示情報記憶部と、この表示情報記憶部に記憶された複数種類の表示情報のうち所定の表示情報を前記表示部に表示させる表示制御手段と、前記サーバ装置から前記切替許可信号を受信すると、前記表示部の表示情報を一定時間だけ前記表示情報記憶部に記憶された別の表示情報に切替える表示切替手段とを具備し、
たことを特徴とする情報表示システム。
【請求項２】
前記各情報表示端末は、表示情報の切替を指示するための操作子をさらに具備し、
前記表示切替手段は、前記操作子が操作入力されると、前記サーバ装置から前記切替許可信号を受信していることを条件に、前記表示部の表示情報を一定時間だけ前記表示情報記憶部に記憶された別の表示情報に切替えることを特徴とする請求項１記載の情報表示システム。
【請求項３】
前記表示切替手段は、前記表示部の表示情報を前記表示情報記憶部に記憶された別の表示情報に切替えた後、前記操作子が操作入力されると、即座に前記表示部の表示情報を切替前の情報に戻すことを特徴とする請求項２記載の情報表示システム。
【請求項４】
複数のグループにグループ分けされた前記各情報表示端末は、同一グループに属する前記各情報表示端末のなかの少なくとも１台が前記ＩＤ認識装置を内蔵していることを特徴とする請求項１記載の情報表示システム。
【請求項５】
前記サーバ装置は、前記グループ毎にそのグループに属する前記情報表示端末へのアクセス権を有するユーザＩＤ若しくはアクセス権を有さないユーザＩＤを記憶するアクセス権情報記憶部と、前記認識有無識別手段により前記ユーザＩＤが認識された前記ユーザＩＤ認識装置を識別すると、前記アクセス権情報記憶部の記憶情報を参照して、そのユーザＩＤ認識装置が属するグループに対してアクセス権を有するユーザＩＤを認識したか否かを判断するアクセス権判断手段とをさらに具備し、
前記切替許可指令手段は、前記アクセス権判断手段によりアクセス権を有するユーザＩＤを認識したと判断されたことを条件に、該当する情報表示端末に対して切替許可信号を配信することを特徴とする請求項１記載の情報表示システム。
【請求項６】
前記各情報表示端末は、各商品の品目にそれぞれ対応して設けられており、
前記サーバ装置は、各商品の品目名と価格とを関連付けて記憶する棚札情報ファイルと、各商品の売上実績データを記憶する売上情報ファイルとを具備し、
前記表示情報配信手段は、前記情報表示端末毎にその端末に対応する商品の品目名と価格とからなる棚札表示情報を前記棚札情報ファイルに記憶されたデータを基に生成して配信する棚札情報配信手段と、前記情報表示端末毎にその端末に対応する商品の売上実績データからなる売上実績情報を前記売上情報ファイルに記憶されたデータを基に生成して配信する売上情報配信手段とを含み、
前記各情報表示端末の表示情報記憶部は、前記棚札表示情報を記憶する第１の記憶部と前記売上実績情報を記憶する第２の記憶部とを含み、
前記表示制御手段は、前記第１の記憶部に記憶された棚札表示情報を前記表示部に表示させ、前記表示切替手段は、前記表示部の表示情報を前記第２の記憶部に記憶された売上実績情報に切替えることを特徴とする請求項１乃至５のうちいずれか一記載の情報表示システム。
【請求項７】
前記売上情報配信手段は、前記認識有無識別手段により前記ユーザＩＤが認識された前記ユーザＩＤ認識装置を識別すると、そのユーザＩＤ認識装置が属するグループに分類された全ての前記情報表示端末を前記グループ情報記憶部に記憶された情報を基に特定し、その特定された全ての前記情報表示端末に対する売上実績情報を生成して配信することを特徴とする請求項６記載の情報表示システム。
【請求項８】
表示部を有する複数の情報表示端末を有線または無線の通信手段で接続してなり、前記各情報表示端末の情報表示を管理するサーバ装置において、
前記各情報表示端末を複数のグループに区分するグループ毎に、そのグループに属する前記情報表示端末とそのグループに対応して設けられたユーザＩＤ認識装置とをそれぞれ識別する情報を記憶するグループ情報記憶部と、前記情報表示端末毎にそれぞれ複数種類の表示情報を生成して配信する表示情報配信手段と、いずれかの前記ユーザＩＤ認識装置にてユーザＩＤが認識されたか否かを識別する認識有無識別手段と、この認識有無識別手段により前記ユーザＩＤが認識された前記ユーザＩＤ認識装置を識別すると、そのユーザＩＤ認識装置が属するグループに分類された全ての前記情報表示端末を前記グループ情報記憶部に記憶された情報を基に特定し、その特定された全ての前記情報表示端末に対して切替許可信号を配信する切替許可指令手段とを具備したことを特徴とするサーバ装置。
【請求項９】
前記グループ毎にそのグループに属する前記情報表示端末へのアクセス権を有するユーザＩＤ若しくはアクセス権を有さないユーザＩＤを記憶するアクセス権情報記憶部と、前記認識有無識別手段により前記ユーザＩＤが認識された前記ユーザＩＤ認識装置を識別すると、前記アクセス権情報記憶部の記憶情報を参照して、そのユーザＩＤ認識装置が属するグループに対してアクセス権を有するユーザＩＤを認識したか否かを判断するアクセス権判断手段とをさらに具備し、
前記切替許可指令手段は、前記アクセス権判断手段によりアクセス権を有するユーザＩＤを認識したと判断されたことを条件に、該当する情報表示端末に対して切替許可信号を配信することを特徴とする請求項８記載のサーバ装置。
【請求項１０】
外部から受信した情報を表示可能な表示部を有する情報表示端末において、
複数種類の表示情報を記憶する表示情報記憶部と、この表示情報記憶部に記憶された複数種類の表示情報のうち所定の表示情報を前記表示部に表示させる表示制御手段と、外部から前記切替許可信号を受信すると、前記表示部の表示情報を一定時間だけ前記表示情報記憶部に記憶された別の表示情報に切替える表示切替手段とを具備したことを特徴とする情報表示端末。
【請求項１１】
表示情報の切替を指示するための操作子をさらに具備し、
前記表示切替手段は、前記操作子が操作入力されると、外部から前記切替許可信号を受信していることを条件に、前記表示部の表示情報を一定時間だけ前記表示情報記憶部に記憶された別の表示情報に切替えることを特徴とする請求項１０記載の情報表示端末。
【請求項１２】
前記表示切替手段は、前記表示部の表示情報を前記表示情報記憶部に記憶された別の表示情報に切替えた後、前記操作子が操作入力されると、即座に前記表示部の表示情報を切替前の情報に戻すことを特徴とする請求項１１記載の情報表示端末。
【発明の詳細な説明】
【技術分野】
【０００１】
本発明は、店舗における電子棚札システム，電子ＰＯＰシステム等の情報表示システム及びこのシステムに用いられるサーバ装置並びに情報表示端末に関する。
【背景技術】
【０００２】
近年、電子棚札コントローラと該コントローラに有線または無線で接続された複数の電子棚札とからなり、該電子棚札をそれぞれ陳列商品に対応して配設するとともに、前記コントローラからの送信データに基づいて前記商品の値段を表示する電子棚札システムは、既に実用化されている。
【０００３】
この種の電子棚札システムにおいて、従来、商品の値段が表示されている電子棚札に向けて店員が画面切換用リモコンを操作して赤外線等による通信を行うと、その電子棚札の表示内容が値段の表示から当該商品の売上実績データの表示に切り替るようにした技術は既に知られている。また、店員がリモコンで画面を切替えて売上実績データを表示させるのでなく、前記コントローラからコマンドにより一斉に売上実績データを表示させることも考えられている（例えば、特許文献１参照）。
【特許文献１】特開２００１-２０９８６１号公報
【発明の開示】
【発明が解決しようとする課題】
【０００４】
上述したような値段表示と売上実績表示との切換が可能な電子棚札システムを導入することによって、商品の陳列数（在庫数）を確認しつつその商品の売上実績を把握することができ、品出しや発注等を効率よくできるというメリットがある。
【０００５】
しかし、その一方で、店員がリモコンで画面を切替えて売上実績データを表示させる従来システムでは、リモコンを持ってさえいれば誰でも商品の売上実績データを確認できたので、売上実績データという重要な業務情報の漏洩に対して対策が講じられていないという点で問題があった。このような問題は、コントローラからのコマンドにより一斉に売上実績データを表示させる方式の場合も同様である。
【０００６】
本発明はこのような事情に基づいてなされたもので、その目的とするところは、サーバ装置によって管理される複数の情報表示端末でそれぞれ秘匿性のない情報と秘匿性のある情報とを切替表示可能な情報表示システムにおいて、秘匿性のある情報の表示にセキュリティ性を持たせることができる情報表示システム及びこのシステムに用いられるサーバ装置並びに情報表示端末を提供しようとするものである。
【課題を解決するための手段】
【０００７】
本発明の情報表示システムは、サーバ装置と、このサーバ装置から受信した情報を表示可能な表示部を有する複数の情報表示端末とを有線または無線の通信手段で接続してなるものである。このものにおいて、各情報表示端末は、複数のグループにグループ分けされている。また、各グループにそれぞれ対応して少なくとも１つのユーザＩＤ認識装置がサーバ装置と通信自在に設けられている。サーバ装置は、グループ毎にそのグループに属する情報表示端末とユーザＩＤ認識装置とをそれぞれ識別する情報を記憶するグループ情報記憶部と、情報表示端末毎にそれぞれ複数種類の表示情報を生成して配信する表示情報配信手段と、いずれかのユーザＩＤ認識装置にてユーザＩＤが認識されたか否かを識別する認識有無識別手段と、この認識有無識別手段によりユーザＩＤが認識されたユーザＩＤ認識装置を識別すると、そのユーザＩＤ認識装置が属するグループに分類された全ての情報表示端末をグループ情報記憶部に記憶された情報を基に特定し、その特定された全ての情報表示端末に対して切替許可信号を配信する切替許可指令手段とを備えている。各情報表示端末は、複数種類の表示情報を記憶する表示情報記憶部と、この表示情報記憶部に記憶された複数種類の表示情報のうち所定の表示情報を表示部に表示させる表示制御手段と、サーバ装置から切替許可信号を受信すると、表示部の表示情報を一定時間だけ表示情報記憶部に記憶された別の表示情報に切替える表示切替手段とを備えている。
【発明の効果】
【０００８】
かかる手段を講じた本発明によれば、秘匿性のある情報の表示にセキュリティ性を持たせることができる情報表示システム及びこのシステムに用いられるサーバ装置並びに情報表示端末を提供できる。
【発明を実施するための最良の形態】
【０００９】
以下、本発明を実施するための最良の形態について、図面を用いて説明する。  
なお、この実施の形態は、店舗における電子棚札システムに本発明の情報表示システムを適用した場合である。この場合において、各電子棚札が本発明の情報表示端末に該当し、棚札サーバが本発明のサーバ装置に該当する。
【００１０】
はじめに、第１の実施の形態について説明する。  
図１は、本実施の形態における電子棚札システムの全体構成図である。このシステムは、棚札サーバ１と、この棚札サーバ１から受信した情報を表示可能な表示部を有する複数の電子棚札２とを含んでいる。棚札サーバ１には、ＬＡＮ（Local Area Network）等の通信回線３を介して複数（図では３つ）の無線基地局４を接続している。また棚札サーバ１は、ＰＯＳサーバ５と、サーバ間ネットワーク６を介して接続している。ＰＯＳサーバ５は、当該店舗の商品販売に関する実績データをリアルタイムで管理するためのＰＯＳ（Point Of Sales：販売時点情報実績）システムのコントローラである。
【００１１】
各電子棚札２は、例えば商品陳列棚等の商品陳列部に陳列されている各商品の品目にそれぞれ対応して設けている。そして通常は、対応する商品の品目名，価格等のように買物客に提示すべき情報，つまりは秘匿性のない情報を表示している。
【００１２】
各電子棚札２は、複数のグループ（図では３つのグループＡ，Ｂ，Ｃ）にグループ分けされている。グループ分けの定義は、特に限定されるものではない。例えば１固まりの商品陳列棚に配設されている全ての電子棚札２を１つのグループとしてもよい。あるいは精肉，野菜，乳製品，日用品等のように価格を表示している商品の分類に合わせてグループ分けしてもよい。
【００１３】
電子棚札システムは、さらに、複数のユーザＩＤ認識装置７を備えている。各ユーザＩＤ認識装置７は、店長，副店長，店員，パートタイマ等の店舗スタッフを識別するために各人に対して予め割当設定されたユーザＩＤを認識するもので、前記電子棚札２の各グループＡ，Ｂ，Ｃ，…に対して少なくとも１台を設置している。
【００１４】
因みに、ユーザＩＤ認識装置７としては、ＲＦＩＤ（Radio Frequency Identification）内蔵のＲＦカードに記録されたＩＤを非接触で読取ってユーザ認証するＲＦＩＤ読取装置や、指紋，掌紋，虹彩等の生体情報を照合してユーザ認証する生体認証装置等を適用できる。
【００１５】
例えばＲＦＩＤ読取装置を適用した場合は、予め全ての店舗スタッフのユーザＩＤと関連付けてその店舗スタッフが所持しているＲＦカードのＩＤを設定記憶した認証テーブルを備える。そして、ＲＦＩＤ読取装置でＲＦカードのＩＤを読取る毎に認証テーブルを検索し、当該ＲＦカードのＩＤを検出するとそのＩＤに対応するユーザＩＤを認証結果として出力する。
【００１６】
また、生体認証装置を適用した場合は、予め全ての店舗スタッフのユーザＩＤと関連付けてその店舗スタッフの生体情報を設定記憶した認証テーブルを備える。そして、生体認証装置で生体情報を読取る毎に認証テーブルを検索し、当該生体情報に一致するデータを検出するとその生体情報に対応するユーザＩＤを認証結果として出力する。  
因みに、本実施の形態では、認証結果の出力先は、棚札サーバ１である。
【００１７】
各グループＡ，Ｂ，Ｃ，…に属する全ての電子棚札２とＩＤ認識装置７とは、それぞれそのグループに対応して設けられている前記無線基地局４との間で、無線通信を行えるようになっている。すなわち、各無線基地局４に対して同一グループに属する電子棚札２及びＩＤ認識装置７は、いずれも無線子局として機能する。
【００１８】
前記棚札サーバ１は、棚札情報ファイル８と売上情報ファイル９とを記憶管理するデータベースサーバとしての機能を有している。
【００１９】
前記棚札情報ファイル８は、図２に示すように、固有の棚札アドレスにそれぞれ対応して品目名データと価格データとを記憶するデータファイルである。棚札アドレスは、各電子棚札２に対して予め割当設定された一意の無線通信アドレスである。品目名データ及び価格データは、対応する棚札アドレスによって特定される電子棚札２が設けられた商品の品目名及び価格であって、価格変更や商品の入替え等があった場合は、ＰＯＳサーバ５の制御によりリアルタイムに書換更新されるようになっている。
【００２０】
前記売上情報ファイル９は、図３に示すように、前記棚札アドレスにそれぞれ対応して品目名データと売上点数及び売上金額の売上実績データとを記憶するデータファイルである。売上実績データは、対応する棚札アドレスによって特定される電子棚札２が設けられた商品の開店から現時点までの売上合計点数及び売上合計金額であって、各商品の売上がある毎に、ＰＯＳサーバ５の制御によりリアルタイムに書換更新されるようになっている。
【００２１】
前記電子棚札２の正面図を図４に示す。また、前記電子棚札２のブロック構成図を図５に示す。電子棚札２は、薄板状をなす筐体２１の正面に、品名，価格等を表示するための表示部２２を設けている。また、駆動源としてのバッテリ２３、無線基地局４を介して棚札サーバ１とデータ通信を行う通信部２４、不揮発性の記憶部２５及び各部を制御する制御部２６を、筐体２１に内蔵している。
【００２２】
記憶部２５では、その電子棚札２に対して予め設定された前記棚札アドレスを固定的に記憶保持している。また、第１の画面情報を書換可能に記憶する第１画面メモリ２７と、第２の画面情報を書換可能に記憶する第２画面メモリ２８とを、記憶部２５に形成している。
【００２３】
第１画面メモリ２７では、図４（ａ）に示すように、その電子棚札２が対応する商品の品目名と価格とが配置された商品価格画面の情報を記憶する。この商品価格画面上の品目名及び価格は、買物客に対して提示される情報であり、秘匿性はない。
【００２４】
一方、第２画面メモリ２８では、図４（ｂ）に示すように、その電子棚札２が対応する商品の品目名と売上点数及び売上金額とが配置された売上実績画面の情報を記憶する。この売上実績画面上の売上点数及び売上金額は、対応する商品の売上実績に関するデータであり、限られた店舗スタッフのみ閲覧が許される秘匿性のある情報である。ここに、第１，第２の画面メモリ２７，２８は、複数種類の表示情報を記憶する表示情報記憶部として機能する。
【００２５】
前記棚札サーバ１は、上記棚札情報ファイル８に記憶された情報に基づいて、電子棚札２別に商品価格画面の情報を作成し、それぞれ対応する無線基地局４を介して各電子棚札２に配信する機能と、上記売上情報ファイル９に記憶された情報に基づいて、電子棚札２別に売上実績画面の情報を作成し、それぞれ対応する無線基地局４を介して各電子棚札２に配信する機能とを有している。ここに、棚札サーバ１は、電子棚札２毎にそれぞれ複数種類の表示情報を生成して配信する表示情報配信手段、詳しくは、電子棚札毎にその棚札に対応する商品の品目名と価格とからなる棚札表示情報を生成して配信する棚札情報配信手段と、その電子棚札に対応する商品の売上実績データからなる売上実績情報を生成して配信する売上情報配信手段とを有している。
【００２６】
前記棚札サーバ１のブロック構成図を図６に示す。前記棚札サーバ１は、制御部本体を構成するＣＰＵ（Central Processing Unit）１１、主記憶部を構成するＲＯＭ（Read Only Memory）１２及びＲＡＭ（Random Access Memory）１３、補助記憶装置を構成するＨＤＤ（Hard Disk Drive）装置１４、タイマ１５、前記サーバ間ネットワーク６を介してＰＯＳサーバ５との間で行うデータ通信を制御する第１の通信コントローラ１６、前記通信回線３及び無線基地局４を介して各電子棚札２及びＩＤ認識装置７との間で行うデータ通信を制御する第２の通信コントローラ１７等を備えている。
【００２７】
また、前記棚札サーバ１は、前記ＨＤＤ装置１４において、前記棚札情報ファイル８及び売上情報ファイル９の他、図７に示すデータ構造のグループ管理テーブル１０１、図８に示すデータ構造の棚札分類テーブル１０２、図９に示すデータ構造のアクセス権設定テーブル１０３を記憶している。
【００２８】
前記グループ管理テーブル１０１は、図７に示すように、先頭番号“１”から前記ＩＤ認識装置７の総数までの連続番号に対応して、ＩＤ認識アドレス，グループコード，許可中フラグ及びタイマ値（Ｔ値）をそれぞれ記憶するエリアを有している。そして、ＩＤ認識アドレスのエリアには、各ＩＤ認識装置７に対して予め割当設定された一意の無線通信アドレスであるＩＤ認識アドレスがセットされている。また、グループコードエリアには、対応するＩＤ認識アドレスで特定されるＩＤ認識装置７が所属するグループＡ，Ｂ，Ｃ，…を識別するためのグループコードがセットされている。また、許可中フラグエリアには、対応するグループコードで特定されるグループ内の各電子棚札２において、秘匿性のある売上実績データの閲覧を許可している状態にあるか禁止している状態にあるかを識別するための許可中フラグ（本実施の形態では「０：禁止、１：許可」とする。）がセットされている。タイマ値エリアには、対応するグループコードで特定されるグループ内の各電子棚札２において売上実績データの閲覧が許可されているとき、その許容時間の残り時間がセットされる。
【００２９】
前記棚札分類テーブル１０２には、図８に示すように、各電子棚札２をグループ分けしたグループを識別するグループコードに対応して、そのグループに属する全ての電子棚札２の棚札アドレスがセットされている。
【００３０】
前記アクセス権設定テーブル１０３には、図９に示すように、各電子棚札２をグループ分けしたグループを識別するグループコードに対応して、そのグループに属する電子棚札２を利用して売上実績データの閲覧が可能な店舗スタッフのユーザＩＤがセットされている。
【００３１】
ここに、前記グループ管理テーブル１０１と棚札分類テーブル１０２とは、グループ毎にそのグループに属する電子棚札２とユーザＩＤ認識装置７とをそれぞれ識別する棚札アドレス及びＩＤ認識アドレスを記憶するグループ情報記憶部として機能する。
【００３２】
また、前記アクセス権設定テーブル１０３は、グループ毎にそのグループに属する電子棚札２へのアクセス権を有するユーザＩＤを記憶するアクセス権情報記憶部として機能する。
【００３３】
図１０は、棚札サーバ１のＣＰＵ１１が実行するＩＤ認識受信処理の要部手順を示す流れ図である。ＣＰＵ１１は、いずれかのＩＤ認識装置７においてユーザＩＤが認識されたことを、ＩＤ認識装置７から出力される認識結果の情報により判別すると、この処理を開始する。
【００３４】
先ず、ＣＰＵ１１は、ＳＴ（ステップ）１としてＩＤ認識装置７で認識されたユーザＩＤをＲＡＭ１３で記憶する。次に、ＳＴ２としてユーザＩＤを認識したＩＤ認識装置７の通信アドレスであるＩＤ認識アドレスを取得する。そして、ＳＴ３としてそのＩＤ認識アドレスで前記グループ管理テーブル１０１を検索して、当該ＩＤ認識アドレスに対応する許可中フラグが禁止状態（０）にあるか否かを判断する（認識有無識別手段）。
【００３５】
ここで、許可中フラグが禁止状態（０）にあると判別された場合には、ＣＰＵ１１は、ＳＴ４として前記グループ管理テーブル１０１当該ＩＤ認識アドレスに対応してセットされているグループコードを取得する。そして、ＳＴ５としてこのグループコードで前記アクセス権設定テーブル１０３を検索して、当該グループコードに対応してセットされている全ての許可ユーザＩＤを取得する。しかる後、ＣＰＵ１１は、ＳＴ６としてＲＡＭ１３に記憶している認識ユーザＩＤと一致する許可ユーザＩＤの有無を判別する（アクセス権判断手段）。
【００３６】
ここで、認識ユーザＩＤと一致する許可ユーザＩＤが存在する場合には、ユーザＩＤで特定される店舗スタッフは、当該グループコードで特定されるグループ内の電子棚札２を用いて秘匿情報である売上実績データを確認することが許容された者なので、ＣＰＵ１１は、ＳＴ７として当該ＩＤ認識装置７に対してユーザＩＤが承認された旨の応答信号を第２の通信コントローラ１７経由で送信する。また、ＳＴ８として前記グループ管理テーブル１０１の当該ＩＤ認識アドレスに対応する許可中フラグを禁止状態（０）から許可中状態（１）に更新する。
【００３７】
次に、ＣＰＵ１１は、ＳＴ９として前記棚札分類テーブル１０２を参照して、当該グループコードに対応してセットされている全ての棚札アドレスを取得する。そして、ＳＴ１０としてこれら棚札アドレスによってそれぞれ識別される電子棚札２毎に売上実績画面情報を作成する。すなわち、売上情報ファイル９から該当棚札アドレスに対応して記憶されている売上点数と売上金額の各データを品目名のデータとともに一画面内に配置してなる売上実績画面（図４の（ｂ）を参照）の情報を作成する。
【００３８】
次に、ＣＰＵ１１は、ＳＴ１１として棚札アドレス毎に作成した売上実績画面情報を、それぞれ当該棚札アドレスによって特定される電子棚札２に、第２の通信コントローラ１７を介して配信する。また、ＳＴ１２として切替許可信号を同電子棚札２にそれぞれ配信する（切替許可指令手段）。しかる後、ＳＴ１３としてグループ管理テーブル１０１の当該ＩＤ認識アドレスに対応するタイマ値エリアに、予め設定された許容時間初期値Ｔdefをセットして、今回の処理を終了する。
【００３９】
なお、ＳＴ３にて許可中フラグが許可中状態（１）にあると判別された場合、及びＳＴ６にて認識ユーザＩＤと一致する許可ユーザＩＤが存在しないと判別された場合には、ＣＰＵ１１は、ＳＴ１４として当該ＩＤ認識装置７に対してユーザＩＤの承認エラーである旨の応答信号を第２の通信コントローラ１７経由で送信し、今回の処理を終了する。
【００４０】
因みに、許容時間初期値Ｔdefは、ユーザ認証の結果承認された店舗スタッフが、そのグループ内の電子棚札２を用いて秘匿情報である売上実績データを確認することが許された時間であり、例えば５〜２０秒程度に相当する値がプリセットされている。この時間は、短いとデータの確認が困難となるが、逆に長いと秘匿性を損ねるおそれがあり、これらを考慮して適切な時間を設定することが望ましい。
【００４１】
図１１は、棚札サーバ１のＣＰＵ１１が実行するタイマ割込受信処理の要部手順を示す流れ図である。ＣＰＵ１１は、タイマ１５から周期的、例えば１秒間隔で発生されるタイマ割込信号を入力する毎に、この処理を開始する。
【００４２】
先ず、ＣＰＵ１１は、ＳＴ２１としてＲＡＭ１３に設けた番号カウンタｎを“０”にリセットする。次に、ＳＴ２２として上記番号カウンタｎを“１”だけカウントアップする。そして、ＳＴ２３としてこの番号カウンタｎがグループ管理テーブル１０１の連続番号最大値Ｎを超えたか否かを判断する。
【００４３】
ここで、番号カウンタｎが連続番号最大値Ｎを超えていない場合には、ＣＰＵ１１は、ＳＴ２４としてこの番号カウンタｎでグループ管理テーブル１０１を検索して当該番号ｎに対応するタイマ値Ｔｎが“０”より大きい値か否かをチェックする。そして、タイマ値Ｔｎが“０”の場合には、ＳＴ２２の処理に戻り、番号カウンタｎを“１”だけカウントアップし、連続番号最大値Ｎを超えていない場合には、再びタイマ値Ｔｎが“０”より大きい値か否かのチェックを行う。
【００４４】
その結果、タイマ値Ｔｎが“０”より大きい値であった場合には、ＣＰＵ１１は、ＳＴ２５としてそのタイマ値Ｔｎを“１”だけ減算する。そして、ＳＴ２６として減算後のタイマ値Ｔｎが“０”になったか否かをチェックする。ここで、タイマ値Ｔｎが依然として“０”より大きい場合には、ＳＴ２２の処理に戻り、上記と同様の処理を再び実行する。
【００４５】
これに対し、減算後のタイマ値Ｔｎが“０”になった場合には、ＣＰＵ１１は、ＳＴ２７としてグループ管理テーブル１０１から当該番号ｎに対応して記憶されているグループコードを取得する。そして、ＳＴ２８としてこの取得したグループコードで棚札分類テーブル１０２を検索して、当該グループコードに対応して記憶されている全ての棚札アドレスを取得する。
【００４６】
次に、ＣＰＵ１１は、ＳＴ２９として棚札分類テーブル１０２から取得した各棚札アドレスでそれぞれ識別される各電子棚札２に、第２の通信コントローラ１７を介して切替禁止信号を配信する。しかる後、ＳＴ３０としてグループ管理テーブル１０１の当該番号ｎに対応して記憶されている許可中フラグを“０”に変更したならば、ＳＴ２２の処理に戻り、上記と同様な処理を繰り返す。
【００４７】
こうして、ＳＴ２３にて番号カウンタｎが連続番号最大値Ｎを超えたことを確認したならば、ＣＰＵ１１は、今回のタイマ割込処理を終了する。
【００４８】
図１２は、前記電子棚札２の制御部２６が実行する主要な処理手順を示す流れ図である。すなわち制御部２６は、ＳＴ４１として第１画面メモリ２７に記憶されている情報を基に、表示部２２に商品価格画面を表示させる（表示制御手段）。この状態で、ＳＴ４２として棚札サーバ１からの信号受信を待機する。なお、初期状態にあっては第１画面メモリ２７に情報が記憶されていないので、商品価格画面を表示することなく棚札サーバ１からの信号受信を待機する。
【００４９】
棚札サーバ１からの信号を受信したならば（ＳＴ４２のＹＥＳ）、制御部２６は、ＳＴ４３〜ＳＴ４６としてその受信信号の種類を識別する。ここで、受信信号が商品価格画面を示す第１画面情報であった場合には（ＳＴ４３のＹＥＳ）、制御部２６は、ＳＴ４８としてこの第１画面情報を第１画面メモリ２７に上書きして保存する。しかる後、ＳＴ４１の処理に戻り、表示部２２の商品価格画面を更新する。
【００５０】
これに対し、受信信号が売上実績画面を示す第２画面情報であった場合には（ＳＴ４４のＹＥＳ）、制御部２６は、ＳＴ４９としてこの第２画面情報を第２画面メモリ２８に上書きして保存する。しかる後、ＳＴ４２の処理に戻って、次の信号受信を待機する。
【００５１】
一方、受信信号が切替許可信号であった場合には、制御部２６は、ＳＴ５０として第２画面メモリ２８に記憶されている情報を基に売上実績画面を作成し、表示部２２の画面をそれまでの商品価格画面から売上実績画面に切替える（表示切替手段）。しかる後、ＳＴ４２の処理に戻って、次の信号受信を待機する。
【００５２】
また、受信信号が切替禁止信号であった場合には（ＳＴ４６のＹＥＳ）、制御部２６は、ＳＴ４１の処理に戻る。すなわち、表示部２２の画面が売上実績画面であった場合には、第１画面メモリ２７に記憶されている情報を基に商品価格画面に戻す。
【００５３】
次に、このように構成された本実施の形態の作用について説明する。  
なお、説明の便宜上、グループＡに属する電子棚札２及びＩＤ認識装置７をそれぞれ符号“２Ａ”及び“７Ａ”とし、このグループＡに対応して設けられている無線基地局４を符号“４Ａ”とする。同様に、グループＢ，Ｃに属する電子棚札２及びＩＤ認識装置７をそれぞれ符号“２Ｂ”，“２Ｃ”及び“７Ｂ” ，“７Ｃ”とし、このグループＢまたはＣに対応して設けられている無線基地局４をそれぞれ符号“４Ｂ”，“４Ｃ”とする。
【００５４】
また、棚札情報ファイル８、売上情報ファイル９、グループ管理テーブル１０１、棚札分類テーブル１０２及びアクセス権設定テーブル１０３には、それぞれ図２，３，７，８，９に示すデータが記憶されているものとする。
【００５５】
例えば今、ユーザＩＤが「０００１」のユーザがグループＡに対応して設けられているＩＤ認識装置（ＩＤ認識アドレス＝１２３４５）７Ａにより自身のユーザＩＤを認識させたとする。なお、グループ管理テーブル１０１のＩＤ認識アドレス“１２３４５”に対応した許可中フラグは“０”にリセットされているものとする。
【００５６】
そうすると、このユーザＩＤ「０００１」を認証結果とする情報信号がＩＤ認識装置７Ａから無線送信され、無線基地局４Ａを介して棚札サーバ１に送られる。これに応じて、棚札サーバ１においては、図１０の流れ図に示した処理が実行される。すなわち、棚札サーバ１においては、ユーザＩＤ「０００１」が認識され、ＩＤ認識装置のＩＤ認識アドレス“１２３４５”が取得され、許可中フラグが“０”なので、グループコード“Ａ”が取得され、このグループコード“Ａ”に対応してアクセス権設定テーブル１０３に設定されている許可ユーザＩＤが取得される。ユーザＩＤ「０００１」は、許可ユーザＩＤの中に含まれているので、ＩＤ認識装置７Ａに承認応答が返信される。これにより、ＩＤ認識装置７Ａでは、承認が報知されるので、当該ユーザは、ユーザＩＤが承認されたことを確認できる。
【００５７】
また、棚札サーバ１においては、該当する許可中フラグが”１”となり、棚札分類テーブル１０２からグループコード“Ａ”に属する全ての棚札アドレスが取得される。そして、この棚札アドレスで特定される電子棚札２毎に売上情報ファイル９の情報に基づいて売上実績画面の情報が作成され、これら売上実績画面の情報が無線基地局４Ａを介して各電子棚札２Ａに配信される。また、続いて、切替許可信号が各電子棚札２Ａに配信される。
【００５８】
その結果、各電子棚札２Ａでは、表示部２２の画面が価格表示画面から売上実績画面に自動的に切り替る。これにより、ユーザＩＤが承認されたことを確認したユーザは、各電子棚札２Ａの表示内容により、各電子棚札２Ａに対応する各商品の現時点までの売上点数及び売上金額の売上実績データを確認することができる。
【００５９】
また、棚札サーバ１においては、グループ管理テーブル１０１のＩＤ認識アドレス“１２３４５”に対応するタイマ値Ｔ１に初期値Ｔdefがセットされる。そして、タイマ１５から割込信号が定期的に発生する毎に、このタイマ値Ｔ１が“１”ずつ減算される。そして、このタイマ値Ｔ１が“０”になると、グループコード“Ａ”に属する全ての電子棚札２Ａに対し、切替禁止信号が配信される。
【００６０】
その結果、各電子棚札２Ａでは、表示部２２の画面が売上実績画面から価格表示画面に戻る。
【００６１】
一方、ユーザＩＤが「０００２」のユーザが同じくＩＤ認識装置７Ａにより自身のユーザＩＤを認識させた場合には、このユーザＩＤ「０００２」は、許可ユーザＩＤの中に含まれていないので、ＩＤ認識装置７Ａにエラー応答が返信される。そしてこの場合は、各電子棚札２Ａの表示画面は、価格表示画面のまま変化しない。
【００６２】
このように、任意のグループに対して自身のユーザＩＤが許可ユーザＩＤとして設定され、アクセス権が与えられている店舗スタッフが、そのグループ内のＩＤ認識装置７により自身のユーザＩＤを認識させると、そのグループ内の全ての電子棚札２の画面表示が一定時間（Ｔdefに相当する時間）だけ価格表示から売上実績表示に自動的に切り替る。したがって、ＩＤ認識装置７においてユーザＩＤが承認された場合のみ秘匿性のある売上実績情報が電子棚札２の裏画面として表示されるので、秘匿性のある情報の表示にセキュリティ性を持たせることができる。
【００６３】
しかも、本実施の形態の場合は、自身のユーザＩＤをＩＤ認識装置７で認識させるだけで、そのＩＤ認識装置７が属するグループ内の全ての電子棚札２の画面表示が売上実績表示に切り替るので、リモコンを操作して１つずつ確認していた従来と比べて確認作業の負担を大幅に軽減できる上、作業時間も大幅に短縮することができ、利便性の向上を図り得る。
【００６４】
ところで、上記第１の実施の形態では、ＩＤ認識装置７で認識されたユーザＩＤが、そのＩＤ認識装置７が属するグループに対して許可ユーザＩＤとして設定されていた場合に、当該ユーザＩＤを有する店舗スタッフに対してアクセス権を与えるとともに、当該グループ内の全ての電子棚札２の画面表示を価格表示から売上実績表示に一定時間だけ切替えるようにした。このため、そのグループ内に当該ユーザＩＤを有する店舗スタッフ以外のスタッフや買物客などがいた場合には、売上実績情報の秘匿性が失われる。
【００６５】
そこで次に、このような問題をも解決した第２の実施の形態について図面を用いて説明する。なお、この第２の実施の形態は、第１の実施の形態において電子棚札２を以下の如く改良したものであり、第１の実施の形態と共通する部分には同一符号を付して、その詳しい説明を省略する。
【００６６】
第２の実施の形態における電子棚札２の正面図を図１３に示し、ブロック構成図を図１４に示す。図示するように、電子棚札２は、筐体２１の正面に、操作ボタン２０１を設けるとともに、その筐体２１内にタイマ２０２を設け、これらを制御部２６で制御可能としている。なお、操作ボタン２０１の取付位置は、筐体２１の正面に限定されるものではなく、側面，上面，下面，背面等であってもよい。また電子棚札２は、記憶部２５に有効フラグの記憶エリア２０３を形成している。
【００６７】
しかして、電子棚札２の制御部２６は、図１５の流れ図に示す手順で各部を処理する。なお図１５も、第１の実施の形態の同処理手順を示す図１２と共通する処理ステップには同一符号を付している。すなわち制御部２６は、棚札サーバ１からの受信信号が切替許可信号であった場合には（ＳＴ４５のＹＥＳ）、ＳＴ５１としてフラグ記憶エリア２０３の有効フラグを“１”にセットする。また、棚札サーバ１からの受信信号が切替禁止信号であった場合には（ＳＴ４６のＹＥＳ）、ＳＴ５２として前記有効フラグを“０”にリセットする。その他の処理手順は、第１の実施の形態と同様である。
【００６８】
また、電子棚札２の制御部２６は、操作ボタン２０１が操作入力されたことにより発生する割込信号を取り込むと、図１６の流れ図に示す割込処理を開始する。先ず、制御部２６は、ＳＴ６１として前記有効フラグをチェックする。そして、有効フラグが“０”にリセットされていた場合には、この割込処理を終了する。
【００６９】
有効フラグが“１”にセットされていた場合（ＳＴ６１のＹＥＳ）、制御部２６は、ＳＴ６２として第２画面メモリ２８に記憶されている情報を基に売上実績画面を作成し、表示部２２の画面をそれまでの商品価格画面から売上実績画面に切替える（表示切替手段）。
【００７０】
また、制御部２６は、ＳＴ６４としてタイマ２０２の計時動作を開始させる。そして、ＳＴ６４として上記タイマ２０２がタイムアウトするのを待機する。なお、上記タイマ２０２は、棚札サーバ１において、グループ管理テーブル１０１のタイマ値エリアに設定される許容時間初期値Ｔdefに相当する時間よりも短い時間がタイムアウト時間として設定されている。
【００７１】
制御部２６は、上記タイマ２０２がタイムアウトするまでの間に、ＳＴ６５として前記操作ボタン２０１が再入力されないか監視する。そして、タイムアウトする前に操作ボタン２０１が再入力されるか（ＳＴ６５のＹＥＳ）、タイマ２０２がタイムアウトした場合には（ＳＴ６４のＹＥＳ）、制御部２６は、ＳＴ６６として第１画面メモリ２７に記憶されている情報を基に表示部２２の画面を売上実績画面から商品価格画面に戻す。
【００７２】
このように本実施の形態においては、ＩＤ認識装置７で認識されたユーザＩＤが、そのＩＤ認識装置７が属するグループに対して許可ユーザＩＤとして設定されており、当該ユーザＩＤを有する店舗スタッフに対してアクセス権が与えられたとしても、そのグループに属する各電子棚札２においては、有効フラグが”１”にセットされるだけであり、表示画面は価格表示画面のままである。
【００７３】
しかしその後、許容時間初期値Ｔdefに相当する時間内に、当該ユーザがそのグループ内の電子棚札２の操作ボタン２０１を押下すると、その電子棚札２の表示画面だけが価格表示から売上実績表示に切り替る。このような表示の切替は、許容時間初期値Ｔdefに相当する時間内であれば可能であり、許容時間初期値Ｔdefが経過して棚札サーバ１から切替禁止信号が発せられると、有効フラグが“０”にリセットされて、操作ボタン２０１を押下しても画面が切り替らなくなる。
【００７４】
したがって、グループ内に他の店舗スタッフや買物客などがいた場合でも、アクセス権が許可された店舗スタッフが操作ボタン２０１を押下した電子棚札２以外の画面表示が切り替らないので、売上実績情報の秘匿性をより顕著なものとすることができる。
【００７５】
しかも、売上実績画面を表示してからタイマ２０２の計時時間が経過すると自動的に価格表示画面に復帰するだけでなく、操作ボタン２０１が再入力された場合には即座に価格表示画面に復帰するようにしたので、例えば買物客が近付いてきた場合には操作ボタン２０１が再入力して売上実績画面を消すことができ、売上実績情報の秘匿性をさらに顕著なものとすることができる。
【００７６】
ところで、前記第１及び第２の実施の形態では、電子棚札２とは別にＩＤ認識装置７を設けた。このため、売上実績データを確認する店舗スタッフは、ＩＤ認識装置７を操作して自身のユーザＩＤを認証させた後、電子棚札２の前に移動して売上実績データを確認しなければならない面倒がある。
【００７７】
そこで次に、このような問題をも解決した第３の実施の形態について図面を用いて説明する。なお、この第３の実施の形態は、第１の実施の形態において電子棚札２を以下の如く改良したものであり、第１の実施の形態と共通する部分には同一符号を付して、その詳しい説明を省略する。
【００７８】
第３の実施の形態における電子棚札２の正面図を図１７に示し、ブロック構成図を図１８に示す。図示するように、電子棚札２は、筐体２１の正面に、ＲＦＩＤリーダ２１１を設けている。このＲＦＩＤリーダ２１１は、第１の実施の形態におけるＩＤ認識装置７と同様な機能を有するものである。
【００７９】
すなわち、ＲＦＩＤリーダ２１１は、図示しないアンテナの交信領域内にＲＦカードが入ると、そのカードに内蔵されたＲＦＩＤからＩＤデータを非接触で読取る。そして、この読取ったＩＤデータを制御部２６に出力する。
【００８０】
すると、制御部２６は、図１９の流れ図に示す手順の処理を実行するものとなっている。すなわち制御部２６は、ＳＴ７１としてＲＦＩＤリーダ２１１によりＲＦＩＤのＩＤデータが読取られるのを待機し、読取られたならば、ＳＴ７２としてそのＩＤデータが各店舗スタッフのユーザＩＤであるか否かを判別する。そして、ユーザＩＤであった場合には、ＳＴ７３としてそのユーザＩＤを自身の棚札アドレスとともに棚札サーバ１に伝送する。その後、ＳＴ７４として所定の待機時間を経過した後、ＳＴ７１に戻り、ＩＤデータが読取られるのを再び待機する。
【００８１】
このような構成の第３の実施の形態においては、棚札サーバ１は、電子棚札２からユーザＩＤと棚札アドレスとのデータを受信すると、第１の実施の形態において図１０を用いて説明したＩＤ認識受信処理を実行する。ただし、ＳＴ２の処理において、ＩＤ認識アドレスを取得するのでなく、棚札アドレスを取得し、棚札分類テーブル１０２を検索して、当該棚札アドレスに対応するグループコードを取得する。そして、ＳＴ３の処理においては、この取得したグループコードに対応する許可中フラグをチェックするように構成している。
【００８２】
こうすることにより、第１の実施の形態と同様な作用効果を奏することができる。この場合において、売上実績データを確認する店舗スタッフは、電子棚札２のＲＦＩＤリーダ２１１に自身のＲＦカードを近づけるだけでＩＤ認証が行われるので、自身のユーザＩＤを認証させた後、電子棚札２の前に移動する面倒を解消することができる。また、ＩＤ認識装置７を設置するための店内スペースも不要にできる。
【００８３】
なお、ＲＦＩＤリーダ２１１の代わりに生体認証装置等の他のＩＤ認識装置を電子棚札２と一体的に構成してもよい。また、全ての電子棚札２にＩＤ認識装置を一体的に組み込む必要はなく、少なくともグループ内の１つの電子棚札２をＩＤ認識装置と一体化したものとすればよい。
【００８４】
なお、この発明は前記実施形態そのままに限定されるものではなく、実施段階ではその要旨を逸脱しない範囲で構成要素を変形して具体化できる。
【００８５】
例えば前記各実施の形態では、各電子棚札２で記憶する表示情報を秘匿性のない価格表示画面の情報と秘匿性のある売上実績画面の情報の２種類としたが、３種類以上を記憶し、例えば各ユーザＩＤに対応付けてどの種類の表示情報を表示させるかを予め設定して、ＩＤ認証装置７においていずれかのユーザＩＤが認証されたならば、そのユーザＩＤに対応付けられた種類の表示情報を表示部２２に表示させるようにしてもよい。
【００８６】
また、売上実績情報は、開店から現時点までの売上合計点数及び売上合計金額に限定されるものではなく、例えば時間帯別の売上合計点数及び売上合計金額であってもよい。また、曜日別，週別，月別の売上合計点数及び売上合計金額等であってもよい。また、秘匿性を有する表示情報は売上実績画面の情報に限定されるものではなく、例えば在庫数，発注数等を示す画面情報であってもよい。
【００８７】
また、前記実施の形態では、各電子棚札２を分類するグループＡ，Ｂ，Ｃ，…にそれぞれ対応して無線基地局４を設けたが、必ずしも１つのグループに対して１台の無線基地局４を関連付ける必要はなく、２以上のグループに対して１台の無線基地局４を関連付けしてもよいし、１つのグループに対して複数の無線基地局４を関連付けしてもよい。
【００８８】
また、前記実施の形態では、アクセス権設定テーブル１０３は、グループ毎にそのグループに属する電子棚札２へのアクセス権を有するユーザＩＤを記憶するようにしたが、アクセス権を有さないユーザＩＤを記憶し、図１０中ＳＴ６の処理で、認識したユーザＩＤと同一のユーザＩＤが当該アクセス権設定テーブル１０３に設定されていない場合にはＳＴ７の処理に進み、設定されていた場合にはＳＴ１４の処理に進むようにしてもよい。
【００８９】
また、前記各実施の形態では、売上実績画面が電子棚札２に表示されている時間を共通としたが、ユーザによって表示時間を可変設定できるようにしてもよい。
【００９０】
また、本発明は電子棚札システムへの適用に限定されるものではなく、商品価格情報に加えて販促情報や顧客サービス情報，商品情報等を表示して買物客をサポートする電子ＰＯＳシステム等の店舗内の情報表示ステム全般に適用できるものである。
【００９１】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００９２】
【図１】本発明の第１の実施の形態である電子棚札システムの全体構成図。
【図２】同第１の実施の形態において棚札サーバが管理する棚札情報ファイルのデータ構造を示す模式図。
【図３】同第１の実施の形態において棚札サーバが管理する売上情報ファイルのデータ構造を示す模式図。
【図４】同第１の実施の形態における電子棚札の正面図。
【図５】同第１の実施の形態における電子棚札の要部構成を示すブロック図。
【図６】同第１の実施の形態における棚札サーバの要部構成を示すブロック図。
【図７】同第１の実施の形態において棚札サーバが記憶するグループ管理テーブルのデータ構造を示す模式図。
【図８】同第１の実施の形態において棚札サーバが記憶する棚札分類テーブルのデータ構造を示す模式図。
【図９】同第１の実施の形態において棚札サーバが記憶するアクセス権設定テーブルのデータ構造を示す模式図。
【図１０】同第１の実施の形態において棚札サーバのＣＰＵが実行するＩＤ認識受信処理の要部処理手順を示す流れ図。
【図１１】同第１の実施の形態において棚札サーバのＣＰＵが実行するタイマ割込処理の要部処理手順を示す流れ図。
【図１２】同第１の実施の形態において電子棚札の制御部が実行するメイン処理の要部処理手順を示す流れ図。
【図１３】本発明の第２の実施の形態における電子棚札の正面図。
【図１４】同第２の実施の形態における電子棚札の要部構成を示すブロック図。
【図１５】同第２の実施の形態において電子棚札の制御部が実行するメイン処理の要部処理手順を示す流れ図。
【図１６】同第２の実施の形態において電子棚札の制御部が実行するボタン入力割込処理の要部処理手順を示す流れ図。
【図１７】本発明の第３の実施の形態における電子棚札の正面図。
【図１８】同第３の実施の形態における電子棚札の要部構成を示すブロック図。
【図１９】同第３の実施の形態において電子棚札の制御部が実行するＲＦＩＤ監視処理の要部処理手順を示す流れ図。
【符号の説明】
【００９３】
１…棚札サーバ、２…電子棚札、４…無線基地局、５…ＰＯＳサーバ、７…ＩＤ認識装置、８…棚札情報ファイル、９…売上情報ファイル、１１…ＣＰＵ、１４…ＨＤＤ装置、２２…表示部、２６…制御部、２７…第１画面メモリ、２８…第２画面メモリ、１０１…グループ管理テーブル、１０２…棚札分類テーブル、１０３…アクセス権設定テーブル、２０１…操作ボタン、２１１…ＲＦＩＤリーダ。
【図１】
2008123046.tif 000003
【図２】
2008123046.tif 000004
【図３】
2008123046.tif 000005
【図４】
2008123046.tif 000006
【図５】
2008123046.tif 000007
【図６】
2008123046.tif 000008
【図７】
2008123046.tif 000009
【図８】
2008123046.tif 000010
【図９】
2008123046.tif 000011
【図１０】
2008123046.tif 000012
【図１１】
2008123046.tif 000013
【図１２】
2008123046.tif 000014
【図１３】
2008123046.tif 000015
【図１４】
2008123046.tif 000016
【図１５】
2008123046.tif 000017
【図１６】
2008123046.tif 000018
【図１７】
2008123046.tif 000019
【図１８】
2008123046.tif 000020
【図１９】
2008123046.tif 000021